(57)【要約】【課題】電子機器の筐体を構成する部品同士を組み合わせるための構造を簡素化する。【解決手段】第１穴１１ａが形成された第１部品１１と、第１穴１１ａに嵌合する第１嵌合部１２ａを有する第２部品１２と、第１穴１１ａに嵌合した状態の第１嵌合部１２ａに嵌合する第２嵌合部１３ａを有する第３部品１３と、を備える。第２部品１２における第１嵌合部１２ａを、第２部品１２を第１部品１１に組み合わせる際と、第３部品１３を第１部品１１に組み合わせる際に兼用できるので、筐体２を構成する部品１１，１２，１３同士を組み合わせるための構造を簡素化することができる。【選択図】図６
2018049863.tif 000002
【特許請求の範囲】
【請求項１】
第１穴が形成された第１部品と、
前記第１穴に嵌合する第１嵌合部を有する第２部品と、
前記第１穴に嵌合した状態の前記第１嵌合部に嵌合する第２嵌合部を有する第３部品と、を備えることを特徴とする筐体構造。
【請求項２】
前記第２部品の前記第１嵌合部が、前記第１部品における一方の側面から前記第１穴に嵌合されていることにより、前記第２部品が前記第１部品に組み合わされ、
前記第２部品が前記第１部品に組み合わされた状態において、前記第１嵌合部の一部が前記第１部品における他方の側面から突出していることを特徴とする請求項１に記載の筐体構造。
【請求項３】
前記第２部品の前記第１嵌合部は爪部を備えており、
前記爪部が、前記第１部品における他方の側面に引っ掛かることにより、前記第２部品が前記第１部品に組み合わされていることを特徴とする請求項２に記載の筐体構造。
【請求項４】
前記第３部品の前記第２嵌合部には第２穴が形成されており、
前記第１部品における他方の側面から突出している前記第１嵌合部の一部が前記第２穴に嵌合されていることにより、前記第３部品が前記第１部品に組み合わされていることを特徴とする請求項２または３に記載の筐体構造。
【請求項５】
前記第２部品が前記第１部品に組み合わされる方向と、前記第３部品が前記第１部品に組み合わされる方向は直交していることを特徴とする請求項４に記載の筐体構造。
【請求項６】
前記第１部品は金属製のフレーム部品であり、
前記第２部品および前記第３部品は樹脂製の外装部品であることを特徴とする請求項１から５のいずれか一項に記載の筐体構造。
【請求項７】
請求項１から６のいずれか一項に記載の筐体構造を備えることを特徴とする電子機器。
【請求項８】
請求項１から６のいずれか一項に記載の筐体構造を備え、
当該筐体に撮像部が設けられていることを特徴とする撮像装置。
【請求項９】
第１穴が形成された第１部品と、
前記第１穴と嵌合する第１嵌合部を有する第２部品と、
前記第１穴に嵌合した状態の前記第１嵌合部と嵌合する第２嵌合部を有する第３部品と、を備える筐体の組立方法であって、
前記第２部品の前記第１嵌合部を、前記第１部品における一方の側面から前記第１穴に嵌合することにより、前記第２部品を前記第１部品に組み合わせるとともに、前記第１嵌合部の一部を前記第１部品における他方の側面から突出させ、
前記第１部品における他方の側面から突出する前記第１嵌合部の一部に対して、前記第３部品の前記第２嵌合部を嵌合させることにより、前記第３部品を前記第１部品に組み合わせる、
ことを特徴とする筐体の組立方法。
【発明の詳細な説明】
【技術分野】
【０００１】
本発明は、筐体構造と、その筐体構造を備える電子機器、撮像装置および筐体の組立方法に関する。
【背景技術】
【０００２】
従来、内部に設けられる部品に対して複数の外装部品を組み合わせてなる電子機器の筐体構造に係る技術が知られている。
例えば特許文献１には、絶縁カバーに形成された鍔が基板の外周部に引っ掛かり、複数の外装部品の一方に形成された爪が基板の外周部に形成された爪嵌合部に引っ掛かるような筐体構造について記載されている。
【先行技術文献】
【特許文献】
【０００３】
【特許文献１】登録実用新案第３０２１１４４号公報
【発明の概要】
【発明が解決しようとする課題】
【０００４】
従来における筐体構造においては、絶縁カバーと複数の外装品の一方は、各々が、別々の場所に基板に対して引っ掛かるための構造を備えた状態となっているため、筐体構造の簡素化を図りにくいという問題がある。
すなわち、電子機器の筐体構造については、筐体内部の省スペース化や外観意匠性、携帯性、小型化、軽量化などの観点から、筐体を構成する部品同士を組み合わせるための構造の簡素化が求められていた。
【０００５】
本発明の課題は、電子機器の筐体を構成する部品同士を組み合わせるための構造を簡素化することである。
【課題を解決するための手段】
【０００６】
以上の課題を解決するため、本発明は、筐体構造であって、
第１穴が形成された第１部品と、
前記第１穴に嵌合する第１嵌合部を有する第２部品と、
前記第１穴に嵌合した状態の前記第１嵌合部に嵌合する第２嵌合部を有する第３部品と、を備えることを特徴とする。
【発明の効果】
【０００７】
本発明によれば、電子機器の筐体を構成する部品同士を組み合わせるための構造を簡素化することができる。
【図面の簡単な説明】
【０００８】
【図１】本発明を適用した電子機器の一実施形態の構成を示すもので、カメラの概略背面図である。
【図２】筐体構造を示す分解斜視図である。
【図３】筐体を構成する第１部品を示す斜視図である。
【図４】筐体構造を示す分解斜視図である。
【図５】筐体を構成する部品同士を組み合わせるための構造を示す断面図である。
【図６】筐体を構成する部品同士を組み合わせるための構造を示す断面図である。
【発明を実施するための形態】
【０００９】
以下、図面を参照して本発明の実施の形態について説明する。ただし、以下に述べる実施形態には、本発明を実施するために技術的に好ましい種々の限定が付されているが、本発明の技術的範囲を以下の実施形態および図示例に限定するものではない。
【００１０】
図１は、本発明を適用した電子機器の一実施形態の構成としてカメラを示すもので、符号１は表示部筐体、符号２はレンズ部筐体、符号３はフレーム、符号４は表示部、符号６は第１ヒンジ軸、符号７は第２ヒンジ軸である。
表示部筐体１は表示部４を備えており、レンズ部筐体２はレンズ部５（図４参照）を備えている。表示部筐体１とレンズ部筐体２は、第１ヒンジ軸６を介して互いに回動可能に結合されている。フレーム３は、表示部筐体１とレンズ部筐体２を囲む形状に形成され、レンズ部筐体２に対し、第１ヒンジ軸６と直交する一対の第２ヒンジ軸７，７を介して回動可能に結合されている。
このようなカメラは、レンズ部筐体２に対しフレーム３を１８０度開いて、表示部４とレンズ部５を反対方向に向けて自分以外の他者を撮影したり、表示部４とレンズ部５を同方向に向けて自分撮りしたりすることができる。
【００１１】
図２〜図４は、レンズ部筐体２の構造を説明するための分解斜視図および各部品を示す図であり、符号１１は内部フレーム（第１部品）、符号１２は側端カバー（第２部品）、符号１３は外装カバー（第３部品）、符号１４はレンズ側外装カバー、符号１５は撮像部である。
撮像部１５は、露出するレンズ部５の他に、レンズ部筐体２の内部に設けられる電子撮像部やレンズ駆動部等を備える。
【００１２】
内部フレーム１１は、図２，図３に示すように、金属製のフレーム部品であり、撮像部１５を装着させた状態でレンズ側外装カバー１４に嵌め込まれて保持されている。
この内部フレーム１１における側端カバー１２側の部位には、レンズ側外装カバー１４に保持された状態において当該レンズ側外装カバー１４における側端カバー１２側の壁部１４ａよりも、外装カバー１３側に延出する延出部１１ｂが形成されている。そして、延出部１１ｂには、当該延出部１１ｂを厚さ方向に貫通し、かつ側端カバー１２側に露出する第１穴１１ａが形成されている。
なお、第１穴１１ａが形成された延出部１１ｂは、側端カバー１２の長さ方向両側端部の位置に対応する２箇所に設けられている。
【００１３】
側端カバー１２は、図１に示すように、レンズ部筐体２の側端（カメラ自体の長さ方向一端部）をカバーする樹脂製の部品であり、中央部で折れ曲がった状態で山型に形成されている。なお、内部フレーム１１と外装カバー１３とレンズ側外装カバー１４と撮像部１５の形状は、このような側端カバー１２の形状に対応している。
この側端カバー１２の長さ方向両側端部における内部フレーム１１側の部位には、図４に示すように、内部フレーム１１側に突出する第１嵌合部１２ａがそれぞれ形成されている。当該第１嵌合部１２ａは、内部フレーム１１における第１穴１１ａに嵌合するものであり、第１穴１１ａに差込可能な寸法に形成されている。また、この第１嵌合部の突端部１２ｂには、外装カバー１３に折り返した爪部１２ｃが形成されている（図６参照）。爪部１２ｃは、外装カバー１３に向かうにつれて徐々に先細りする形状となっている。
なお、この側端カバー１２は、レンズ側外装カバー１４に形成された差込穴１４ｂに差し込まれる突部１２ｄを有する（図５参照）。また、この側端カバー１２は、レンズ側外装カバー１４における側端カバー１２側の縁部に形成された被係合部１４ｃに係合する断面Ｌ型の係合部１２ｅを有する（図５参照）。さらに、この側端カバー１２は、外装カバー１３における側端カバー１２側の縁部１３ｃが差し込まれる溝部１２ｆを有する（図６参照）。
【００１４】
外装カバー１３は、図２，図４に示すように、レンズ部筐体２におけるレンズ部５側とは反対側に設けられ、レンズ側外装カバー１４と対（つい）になって内部フレーム１１や撮像部１５を被覆する樹脂製の外装部品である。
この外装カバー１３の内部における側端カバー１２側には、図４に示すように、内部フレーム１１側に突出する第２嵌合部１３ａが形成されている。また、この第２嵌合部１３ａは、側端カバー１２の長さ方向両側端部の位置（すなわち、第１穴１１ａおよび第１嵌合部１２ａの位置）に対応する２箇所に設けられている。第２嵌合部１３ａは、第１穴１１ａに嵌合した状態の第１嵌合部１２ａに嵌合するものである。当該第２嵌合部１３ａには、側端カバー１２における第１嵌合部１２ａの突端部１２ｂに嵌合する第２穴１３ｂが形成されている。
【００１５】
レンズ側外装カバー１４は、上述のように、外装カバー１３と共に内部フレーム１１や撮像部１５を被覆する樹脂製の外装部品であり、撮像部１５が有するレンズ部５に対応する位置が開口した状態となっている。
このレンズ側外装カバー１４における側端カバー１２側の壁部１４ａには、側端カバー１２における突部１２ｄが差し込まれる差込穴１４ｂが形成されている。
また、このレンズ側外装カバー１４における側端カバー１２側の縁部には、側端カバー１２における係合部１２ｅが係合する断面Ｌ型の被係合部１４ｃが形成されている。
【００１６】
続いて、内部フレーム１１と側端カバー１２と外装カバー１３とを組み合わせるための構造について、図面を参照して詳細に説明する。
図５は、内部フレーム１１と側端カバー１２とを組み合わせるための構造を示す図である。図６は、互いに組み合わされた状態の内部フレーム１１と側端カバー１２に対して外装カバー１３を組み合わせるための構造を示す図である。なお、内部フレーム１１は、レンズ側外装カバー１４に予め保持された状態となっている。
【００１７】
側端カバー１２における第１嵌合部１２ａは、図５に示すように、内部フレーム１１における外側の側面から第１穴１１ａに嵌合されている。
このとき、第１嵌合部１２ａの突端部１２ｂは、内部フレーム１１における内側の側面から内側に向かって突出している。さらに、第１嵌合部１２ａの突端部１２ｂに形成された爪部１２ｃは、内部フレーム１１における内側の側面に引っ掛かっている。
また、側端カバー１２における突部１２ｄは、レンズ側外装カバー１４の壁部１４ａに形成された差込穴１４ｂに差し込まれた状態となっている。さらに、側端カバー１２における係合部１２ｅは、レンズ側外装カバー１４における被係合部１４ｃに係合した状態となっている。
【００１８】
このように第１嵌合部１２ａが第１穴１１ａに嵌合されていることにより、側端カバー１２が内部フレーム１１に組み合わされている。すなわち、第１嵌合部１２ａは、突端部１２ｂが内部フレーム１１の内側の側面から突出する状態となるように第１穴１１ａに深く嵌合しているので、側端カバー１２は内部フレーム１１から外れにくくなる。
しかも、突端部１２ｂに形成された爪部１２ｃが内部フレーム１１における内側の側面に引っ掛かっているため、側端カバー１２は内部フレーム１１から、より一層外れにくくなる。また、爪部１２ｃが内部フレーム１１における内側の側面に引っ掛かっているので、外装カバー１３における第２穴１３ｂの縁部が引っ掛かる分の、第１嵌合部１２ａの突出量を確保できる。
【００１９】
また、外装カバー１３における第２嵌合部１３ａは、その第２穴１３ｂの縁部が、図６に示すように、内部フレーム１１における内側の側面から突出している第１嵌合部１２ａの突端部１２ｂに引っ掛かっている。換言すれば、第１嵌合部１２ａの突端部１２ｂが、第２嵌合部１３ａの第２穴１３ｂに対して嵌合されている。
なお、第１嵌合部１２ａにおける爪部１２ｃは、自身の先端部に向かうにつれて徐々に先細りする形状となっているため、傾斜面を有している。これに対応して、外装カバー１３における第２嵌合部１３ａの先端部にも傾斜面が形成されている。したがって、外装カバー１３を、レンズ側外装カバー１４に向かって移動させることにより、爪部１２ｃの傾斜面と、第２嵌合部１３ａの傾斜面とが接した状態となる。外装カバー１３をさらにレンズ側外装カバー１４に向かって移動させることにより、第２嵌合部１３ａは、爪部１２ｃの傾斜面に沿いながら内側に弾性変形し、突端部１２ｂを乗り越えた時に、突端部１２ｂが第２穴１３ｂに嵌合し、第２穴１３ｂの縁部が第１嵌合部１２ａの突端部１２ｂに引っ掛かった状態となる。
さらに、側端カバー１２における第１嵌合部１２ａの突端部１２ｂが、外装カバー１３における第２嵌合部１３ａの第２穴１３ｂに嵌合した時に、外装カバー１３における縁部１３ｃが、側端カバー１２における溝部１２ｆに差し込まれた状態となっている。このとき、図６（ｂ）に示すように、弾性復帰した第２嵌合部１３ａと溝部１２ｆに差し込まれた縁部１３ｃによって、内部フレーム１１の延出部１１ｂにおける下端部と、側端カバー１２の第１嵌合部１２ａとを挟んで保持したような状態となる。
【００２０】
このように第１嵌合部１２ａの突端部１２ｂが、第２嵌合部１３ａの第２穴１３ｂに嵌合した状態となることにより、外装カバー１３が内部フレーム１１に組み合わされている。すなわち、外装カバー１３を内部フレーム１１に組み合わせるに当たっては、側端カバー１２における第１嵌合部１２ａの突端部１２ｂを利用でき、この突端部１２ｂには第２穴１３ｂの縁部が引っ掛かるので、外装カバー１３は内部フレーム１１（または側端カバー１２）から外れにくくなる。
特に、外装カバー１３がレンズ側外装カバー１４から離間する方向に移動しようとすると、第２嵌合部１３ａにおける第２穴１３ｂの縁部が、第１嵌合部１２ａにおける突端部１２ｂおよび爪部１２ｃを、第１穴１１ａの縁部に強く押し付けるので、側端カバー１２が内部フレーム１１から外れにくくなる。
【００２１】
また、図５，図６に示すように、側端カバー１２が内部フレーム１１に組み合わされる方向と、外装カバー１３が内部フレーム１１に組み合わされる方向は直交している。そのため、側端カバー１２を構成する第１嵌合部１２ａと、外装カバー１３を構成する第２嵌合部１３ａは互いに交差し、これにより嵌合させやすい構造となるので、レンズ部筐体２内部の省スペース化や、これによるレンズ部筐体２の小型化、薄型化、軽量化などを図りやすいという利点がある。
【００２２】
また、金属製の内部フレーム１１は、第１穴１１ａを形成するだけの簡素化形状であるため、内部フレーム１１を製造する際の加工が容易となり、その分、内部フレーム１１の各部における加工精度を向上できる。
さらに、側端カバー１２および外装カバー１３を樹脂製としているため、例えば金属製とする場合に比して、嵌合しやすく外れにくい形状の第１嵌合部１２ａや第２嵌合部１３ａを加工しやすい。
【００２３】
次に、レンズ部筐体２の組立方法について説明する。
まず、内部フレーム１１を、撮像部１５を装着させた状態でレンズ側外装カバー１４に嵌め込んで保持させる。
このとき、内部フレーム１１の延出部１１ｂは、レンズ側外装カバー１４に保持された状態において当該レンズ側外装カバー１４における側端カバー１２側の壁部１４ａよりも、外装カバー１３側に延出し、第１穴１１ａが露出した状態となっている。
【００２４】
続いて、側端カバー１２における第１嵌合部１２ａを、内部フレーム１１における外側の側面から第１穴１１ａに嵌合することにより、側端カバー１２を内部フレーム１１に組み合わせるとともに、第１嵌合部１２ａの突端部１２ｂを、内部フレーム１１における内側の側面から突出させる。
このとき、側端カバー１２における爪部１２ｃは、内部フレーム１１における内側の側面に引っ掛かった状態となる。また、側端カバー１２における突部１２ｄは、レンズ側外装カバー１４の壁部１４ａに形成された差込穴１４ｂに差し込まれ、側端カバー１２における係合部１２ｅは、レンズ側外装カバー１４における被係合部１４ｃに係合した状態となる。
【００２５】
続いて、内部フレーム１１における内側の側面から突出する第１嵌合部１２ａの突端部１２ｂに対して、外装カバー１３の第２嵌合部１３ａを嵌合させる。
すなわち、外装カバー１３を、レンズ側外装カバー１４に向かって移動させることにより、爪部１２ｃの傾斜面と第２嵌合部１３ａの傾斜面とを接触させる。そして、第２嵌合部１３ａを弾性変形させながら、外装カバー１３をさらにレンズ側外装カバー１４に向かって移動させることにより、第２嵌合部１３ａが突端部１２ｂを乗り越えて突端部１２ｂが第２穴１３ｂに嵌合し、第２穴１３ｂの縁部が第１嵌合部１２ａの突端部１２ｂに引っ掛かった状態となる。
このとき、外装カバー１３における縁部１３ｃが、側端カバー１２における溝部１２ｆに差し込まれた状態となる。しかも、図６（ｂ）に示すように、弾性復帰した第２嵌合部１３ａと溝部１２ｆに差し込まれた縁部１３ｃによって、内部フレーム１１の延出部１１ｂにおける下端部と、側端カバー１２の第１嵌合部１２ａとを挟んで保持したような状態となるため、外装カバー１３が外れにくくなるという利点がある。さらに、外装カバー１３における縁部１３ｃが側端カバー１２における溝部１２ｆに差し込まれているので、側端カバー１２も外側に外れにくくなる。
このような組立方法を採用することにより、外装カバー１３を内部フレーム１１に組み合わせることができ、レンズ部筐体２を容易に組み立てることができる。
【００２６】
以上、実施形態のカメラによれば、側端カバー１２における第１嵌合部１２ａを、内部フレーム１１における第１穴１１ａに嵌合させて、外装カバー１３における第２嵌合部１３ａを、第１穴１１ａに嵌合した状態の第１嵌合部１２ａに嵌合させることにより、側端カバー１２を内部フレーム１１に組み合わせるとともに、外装カバー１３を内部フレーム１１に組み合わせてレンズ部筐体２を形成することができる。そして、側端カバー１２における第１嵌合部１２ａを、側端カバー１２を内部フレーム１１に組み合わせる際と、外装カバー１３を内部フレーム１１に組み合わせる際に兼用できるので、側端カバー１２と外装カバー１３の各々が、自身を内部フレーム１１に組み合わせるための構造を別々の場所に備える必要が無く、レンズ部筐体２を構成する部品同士を組み合わせるための構造を簡素化することができる。
（変形例）
以上の実施形態においては、カメラとしたが、本発明はこれに限定されるものではなく、カメラを備える携帯電話など他の電子機器であってもよい。
また、各部品の素材（金属製、樹脂製、木製）、各部品の形状、各部品における各部の形状等も任意であり、その他、具体的な細部構造等についても適宜に変更可能であることは勿論である。例えば、第２嵌合部１３ａは、第１嵌合部１２ａの突端部１２ｂが嵌合する第２穴１３ｂを有するものとしたが、先端に、第１嵌合部１２ａの突端部１２ｂに嵌合する爪部を備えたフック状に形成されたものであってもよい。
【００２７】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
第１穴が形成された第１部品と、
前記第１穴に嵌合する第１嵌合部を有する第２部品と、
前記第１穴に嵌合した状態の前記第１嵌合部に嵌合する第２嵌合部を有する第３部品と、を備えることを特徴とする筐体構造。
＜請求項２＞
前記第２部品の前記第１嵌合部が、前記第１部品における一方の側面から前記第１穴に嵌合されていることにより、前記第２部品が前記第１部品に組み合わされ、
前記第２部品が前記第１部品に組み合わされた状態において、前記第１嵌合部の一部が前記第１部品における他方の側面から突出していることを特徴とする請求項１に記載の筐体構造。
＜請求項３＞
前記第２部品の前記第１嵌合部は爪部を備えており、
前記爪部が、前記第１部品における他方の側面に引っ掛かることにより、前記第２部品が前記第１部品に組み合わされていることを特徴とする請求項２に記載の筐体構造。
＜請求項４＞
前記第３部品の前記第２嵌合部には第２穴が形成されており、
前記第１部品における他方の側面から突出している前記第１嵌合部の一部が前記第２穴に嵌合されていることにより、前記第３部品が前記第１部品に組み合わされていることを特徴とする請求項２または３に記載の筐体構造。
＜請求項５＞
前記第２部品が前記第１部品に組み合わされる方向と、前記第３部品が前記第１部品に組み合わされる方向は直交していることを特徴とする請求項４に記載の筐体構造。
＜請求項６＞
前記第１部品は金属製のフレーム部品であり、
前記第２部品および前記第３部品は樹脂製の外装部品であることを特徴とする請求項１から５のいずれか一項に記載の筐体構造。
＜請求項７＞
請求項１から６のいずれか一項に記載の筐体構造を備えることを特徴とする電子機器。
＜請求項８＞
請求項１から６のいずれか一項に記載の筐体構造を備え、
当該筐体に撮像部が設けられていることを特徴とする撮像装置。
＜請求項９＞
第１穴が形成された第１部品と、
前記第１穴と嵌合する第１嵌合部を有する第２部品と、
前記第１穴に嵌合した状態の前記第１嵌合部と嵌合する第２嵌合部を有する第３部品と、を備える筐体の組立方法であって、
前記第２部品の前記第１嵌合部を、前記第１部品における一方の側面から前記第１穴に嵌合することにより、前記第２部品を前記第１部品に組み合わせるとともに、前記第１嵌合部の一部を前記第１部品における他方の側面から突出させ、
前記第１部品における他方の側面から突出する前記第１嵌合部の一部に対して、前記第３部品の前記第２嵌合部を嵌合させることにより、前記第３部品を前記第１部品に組み合わせる、
ことを特徴とする筐体の組立方法。
【符号の説明】
【００２８】
１  表示部筐体
２  レンズ部筐体
３  フレーム
４  表示部
５  レンズ部
６  第１ヒンジ軸
７  第２ヒンジ軸
１１  内部フレーム（第１部品）
１１ａ  第１穴
１１ｂ  延出部
１２  側端カバー（第２部品）
１２ａ  第１嵌合部
１２ｂ  突端部
１２ｃ  爪部
１２ｄ  突部
１２ｅ  係合部
１２ｆ  溝部
１３  外装カバー（第３部品）
１３ａ  第２嵌合部
１３ｂ  第２穴
１３ｃ  縁部
１４  レンズ側外装カバー
１４ａ  壁部
１４ｂ  差込穴
１４ｃ  被係合部
１５  撮像部
【図１】
2018049863.tif 000003
【図２】
2018049863.tif 000004
【図３】
2018049863.tif 000005
【図４】
2018049863.tif 000006
【図５】
2018049863.tif 000007
【図６】
2018049863.tif 000008